(57)【要約】【課題】ラベルや包装材の作製費用を抑制することができる印刷見本作製システムを提供する。【解決手段】印刷見本作製者側のコンピュータサーバ１は、顧客側の端末装置３からインターネットＮＴを介してアクセスがあると、アクセスに応じて印刷加工テンプレートに登録された製品形態情報、用紙情報および表現加工情報を顧客側の端末装置３に提示するとともに、顧客側の端末装置３により選択された情報に応じて印刷対象物のサンプル画像を作成して端末装置３に表示させ、さらに端末装置３からのイメージ画像作成要求を受けて、立体印刷見本の３Ｄ画像やこの３Ｄ画像を背景画像に組み込んだイメージ画像を作成し、端末装置３に送信する。その後、顧客側の端末装置３からモックアップ作製要求が送信されると、コンピュータサーバ１がプリンタ２に印刷指示を与えて印刷対象物を印刷させて印刷対象物の立体印刷見本を作製する。【選択図】図１
2008287390.tif 000002
【特許請求の範囲】
【請求項１】
商品を入れる容器に付けるラベル又は商品を入れる包装材の何れかよりなる印刷対象物の受注を顧客から受けると、受注した印刷対象物を印刷して立体印刷見本を作製する印刷見本作製システムであって、
顧客側の端末装置と印刷見本作製者側のコンピュータサーバとがインターネットを介して接続されるとともに、コンピュータサーバに当該コンピュータサーバからの印刷指示により印刷対象物を印刷して立体印刷見本を作製する見本作製装置が接続されており、
コンピュータサーバに、複数種類の印刷対象物の形態を示す製品形態情報、複数種類の印刷対象物の用紙を示す用紙情報、並びに複数種類の表現加工方法を示す表現加工情報が少なくとも登録された印刷加工テンプレートと、顧客側の端末装置からのアクセスに応じて印刷加工テンプレートに登録された製品形態情報、用紙情報および表現加工情報を顧客側の端末装置に提示する情報提示手段と、顧客側の端末装置により製品形態情報、用紙情報または表現加工情報のうちの少なくとも１つが選択されると、選択内容に応じて印刷加工テンプレートに登録された情報をもとに３Ｄのサンプル画像を作成するサンプル画像作成手段と、作成されたサンプル画像を顧客側の端末装置へ送信するサンプル画像送信手段と、サンプル画像の送信後に顧客側の端末装置から作成対象の印刷対象物の情報とイメージ画像作成要求が送信されると、送信されてきた印刷対象物の情報と上記の選択内容に基づいて作成対象の立体印刷見本の３Ｄ画像および立体印刷見本の３Ｄ画像を背景画像に組み込んだイメージ画像を作成するイメージ画像作成手段と、作成された立体印刷見本の３Ｄ画像およびイメージ画像を顧客側の端末装置に送信するイメージ画像送信手段とを設け、立体印刷見本の３Ｄ画像およびイメージ画像の送信後に顧客側の端末装置からモックアップ作製要求が送信されると、コンピュータサーバが見本作製装置に印刷指示を与えて印刷対象物を印刷させるとともに印刷対象物の立体印刷見本を作製させることを特徴とする印刷見本作製システム。
【請求項２】
作成対象の印刷対象物の情報として顧客側の端末装置からインターネットを経由して送信された印刷対象物の原画像を取り込む画像取込手段を備え、イメージ画像作成手段は、画像取込手段の取り込んだ原画像と、上記選択内容とに基づいて立体印刷見本の３Ｄ画像を作成することを特徴とする請求項１記載の印刷見本作製システム。
【請求項３】
サンプル画像の送信後に顧客側の端末装置から修正依頼があると、サンプル画像作成手段が修正依頼の内容に基づいてサンプル画像を修正するとともに、サンプル画像送信手段が修正後のサンプル画像を顧客側の端末装置に送信することを特徴とする請求項１又は２記載の印刷見本作製システム。
【請求項４】
立体印刷見本の３Ｄ画像およびイメージ画像の送信後に顧客側の端末装置から修正依頼があると、イメージ画像作成手段が修正依頼の内容に基づいて立体印刷見本の３Ｄ画像およびイメージ画像を修正するとともに、イメージ画像送信手段が修正後の３Ｄ画像およびイメージ画像を顧客側の端末装置に送信することを特徴とする請求項１乃至３の何れかに記載の印刷見本作製システム。
【発明の詳細な説明】
【技術分野】
【０００１】
本発明は、飲料や調味料や菓子類などの商品を入れる包装材や包装材に付けるラベルの立体印刷見本を作製する印刷見本作製システムに関するものである。
【背景技術】
【０００２】
従来、飲料や調味料や菓子などの商品を入れた包装材（瓶、缶、ペットボトルなど）に付けるラベルや包装材自体に商品名などの商品情報を印刷してあり、他の商品との差別化を図るために、ラベルや包装材の素材として紙類や樹脂フィルムなど多種多様な素材が用いられるとともに、加工方法もエンボス・箔押し・ニス加工など様々な表面加工が採用されていた（例えば特許文献１参照）。
【０００３】
このようなラベルや包装材を作製する際には、ラベルや包装材の印刷業者が、商品の販売者（顧客）から提示された印刷対象物（ラベルや包装材）の平面図面や素材・色・加工方法などの指示をもとに、校正刷り或いはカラープリンターを用いた印刷によりラベルや包装材の試作品を作製して、顧客に提案しており、試作品をもとにラベルや包装材のデザインが決定されると、ラベルや包装材を印刷するための版を製版し、グラビア印刷などの方法でラベルや包装材を印刷していた。
【特許文献１】特開２００５−５３２０８号公報
【発明の開示】
【発明が解決しようとする課題】
【０００４】
上述のようにラベルや包装材の印刷業者は、顧客（商品の販売者）から提示された印刷対象物の平面図面や素材・色・柄・加工方法などの指示をもとにラベルや包装材の試作品（立体印刷見本）を作製して、この試作品を顧客に送付しており、顧客からの修正依頼があると、試作品を修正して再度顧客に提示する。そして、何度か修正を行った後にラベルや包装材のデザインが決定されると、ラベルや包装材の印刷業者が製版作業を行って、実際の商品に貼るラベルや包装材を印刷するのであるが、印刷業者は試作品を作製したり修正したりする度に、作製した試作品を顧客のもとに持ち込んで、顧客の意向を聞かねばならず、ラベルや包装材のデザインを決定するまでに時間がかかっていた。また、試作品を作製するのにも費用がかかるため、試作品の修正を繰り返すと、ラベルや包装材の作製費用がアップするという問題があった。また、ラベルや包装材の作製費用を抑制するためには、試作品の数を少なくしなければならず、顧客に提案できる試作品の数が制約されるという問題もあった。
【０００５】
本発明は上記問題点に鑑みて為されたものであり、その目的とするところは、ラベルや包装材の作製費用を抑制することができる印刷見本作製システムを提供することにある。
【課題を解決するための手段】
【０００６】
上記目的を達成するために、請求項１の発明は、商品を入れる容器に付けるラベル又は商品を入れる包装材の何れかよりなる印刷対象物の受注を顧客から受けると、受注した印刷対象物を印刷して立体印刷見本を作製する印刷見本作製システムであって、顧客側の端末装置と印刷見本作製者側のコンピュータサーバとがインターネットを介して接続されるとともに、コンピュータサーバに当該コンピュータサーバからの印刷指示により印刷対象物を印刷して立体印刷見本を作製する見本作製装置が接続されており、コンピュータサーバに、複数種類の印刷対象物の形態を示す製品形態情報、複数種類の印刷対象物の用紙を示す用紙情報、並びに複数種類の表現加工方法を示す表現加工情報が少なくとも登録された印刷加工テンプレートと、顧客側の端末装置からのアクセスに応じて印刷加工テンプレートに登録された製品形態情報、用紙情報および表現加工情報を顧客側の端末装置に提示する情報提示手段と、顧客側の端末装置により製品形態情報、用紙情報または表現加工情報のうちの少なくとも１つが選択されると、選択内容に応じて印刷加工テンプレートに登録された情報をもとに３Ｄのサンプル画像を作成するサンプル画像作成手段と、作成されたサンプル画像を顧客側の端末装置へ送信するサンプル画像送信手段と、サンプル画像の送信後に顧客側の端末装置から作成対象の印刷対象物の情報とイメージ画像作成要求が送信されると、送信されてきた印刷対象物の情報と上記の選択内容に基づいて作成対象の立体印刷見本の３Ｄ画像および立体印刷見本の３Ｄ画像を背景画像に組み込んだイメージ画像を作成するイメージ画像作成手段と、作成された立体印刷見本の３Ｄ画像およびイメージ画像を顧客側の端末装置に送信するイメージ画像送信手段とを設け、立体印刷見本の３Ｄ画像およびイメージ画像の送信後に顧客側の端末装置からモックアップ作製要求が送信されると、コンピュータサーバが見本作製装置に印刷指示を与えて印刷対象物を印刷させるとともに印刷対象物の立体印刷見本を作製させることを特徴とする。
【０００７】
請求項２の発明は、請求項１の発明において、作成対象の印刷対象物の情報として顧客側の端末装置からインターネットを経由して送信された印刷対象物の原画像を取り込む画像取込手段を備え、イメージ画像作成手段は、画像取込手段の取り込んだ原画像と、上記選択内容とに基づいて立体印刷見本の３Ｄ画像を作成することを特徴とする。
【０００８】
請求項３の発明は、請求項１又は２の発明において、サンプル画像の送信後に顧客側の端末装置から修正依頼があると、サンプル画像作成手段が修正依頼の内容に基づいてサンプル画像を修正するとともに、サンプル画像送信手段が修正後のサンプル画像を顧客側の端末装置に送信することを特徴とする。
【０００９】
請求項４の発明は、請求項１乃至３の何れかの発明において、立体印刷見本の３Ｄ画像およびイメージ画像の送信後に顧客側の端末装置から修正依頼があると、イメージ画像作成手段が修正依頼の内容に基づいて立体印刷見本の３Ｄ画像およびイメージ画像を修正するとともに、イメージ画像送信手段が修正後の３Ｄ画像およびイメージ画像を顧客側の端末装置に送信することを特徴とする。
【発明の効果】
【００１０】
請求項１の発明によれば、印刷加工テンプレートに登録された製品形態情報、用紙情報あるいは表現加工情報を選択することによって様々な仕上がりのサンプル画像を端末装置に表示させて比較、検討することができ、さらに顧客側から送信された印刷対象物の情報と選択内容とに基づいて立体印刷見本の３Ｄ画像やこの３Ｄ画像を背景画像に組み込んだイメージ画像を作成して端末装置に表示させることができる。したがって、現実の立体印刷見本を作製する前に、端末装置の画面上で立体印刷見本の３Ｄ画像を表示させて仕上がりを確認することができるから、立体印刷見本を作製して顧客に送る時間や顧客側でデザインを検討する時間を短縮したり、立体印刷見本を作製するコストを低減できるという効果がある。また、現実の立体印刷見本を製作しなくても、顧客に対して素材や表面加工方法を変えた多様な立体印刷見本を端末装置の画面上で提案することができ、顧客の満足度を向上させることができるという効果もある。
【００１１】
請求項２の発明によれば、顧客側の端末装置から送信された印刷対象物の原画像を取り込んで立体印刷見本の３Ｄ画像を作成することができる。
【００１２】
請求項３、４の発明によれば、顧客側の修正依頼を受けて修正されたサンプル画像や３Ｄ画像およびイメージ画像を顧客側の端末装置に送信しているので、現実の立体印刷見本を作製する前に様々な形態の立体印刷見本を端末装置の画面上で確認することができる。
【発明を実施するための最良の形態】
【００１３】
本発明に係る印刷見本作製システムは、飲料や調味料や菓子などの商品を入れる容器（包装材）に付けるラベルや、商品を入れる包装材自体の印刷見本を作製するとともに、印刷されたラベルを容器に貼り付けた状態の立体印刷見本や、印刷された包装材を販売時の状態に仕上げた立体印刷見本を作製するシステムであって、商品を入れる包装材としては紙類などで形成された箱状のものや、樹脂フィルムや紙などの材料に印刷、ラミネート、製袋加工などを施した柔軟性を有する袋状の軟包装などがある。またラベルにも種々の形態のものがあり、飲料や調味料などの商品を入れる容器（例えば瓶、缶、ペットボトルなど）に付けるラベルであって、紙製のラベルや樹脂フィルムからなるラベルなどがある。なお、ラベルの見本を作製した場合には、作製したラベルを容器に付けることで立体印刷見本が完成する。
【００１４】
この印刷見本作製システムは、図１に示すように、コンピュータネットワークとしてのインターネットＮＴに接続された印刷見本作成者である印刷会社側のコンピュータサーバ１と、コンピュータサーバ１でデザインが決定されたラベルや包装材を印刷するプリンタ２と、インターネットＮＴに接続される顧客（商品の販売会社）側の端末装置３とで構成され、コンピュータサーバ１と端末装置３との間の通信は、授受するデータが外部に漏洩しないように暗号化されている。
【００１５】
端末装置３は、顧客側からラベルや包装材の素材、色、柄、加工方法などを指定するとともに、コンピュータサーバ１で作成された画像データ（後述のサンプル画像や立体印刷見本の３Ｄ画像およびイメージ画像）を表示して確認し、修正内容をコンピュータサーバ１側へ送信するために用いられる。
【００１６】
コンピュータサーバ１は、図２に示すように、各部を制御する制御手段１１と、キーボードやマウスなどからなる操作手段１２と、液晶モニタ装置などの表示手段１３と、ネットワークを介して端末装置３との間で通信を行う通信手段１４と、プリンタ２に印刷データを出力するデータ出力部１５と、各種のプログラムを記憶したプログラムメモリ１６と、ラベルや包装材の作成に必要な各種のデータ（印刷加工テンプレート）が登録されたデータベース１７と、表示手段１３に表示させるデータを一時記憶する表示用メモリ１８とを備えている。
【００１７】
ここで、プログラムメモリ１６に記憶されるプログラムとしては、顧客側で作成されたラベルや包装材のデータを入校し、入校されたデータの加工などを行うためのグラフィックソフト１６ａ（例えばアドビシステムズ社製のフォトショップやイラストレーター、コーレル株式会社製のペインター、ペイントショップ、システムプロダクト株式会社製のオープン・キャンバス等の汎用のグラフィックソフトなど）や、顧客側からの要求に応じて形状、素材、印刷加工の表現などを変更したラベルや包装材の画像を作成するサンプル画像作成ソフト１６ｂ（例えばＮｅｗｔｅｋ社製のＬｉｇｈｔ  Ｗａｖｅ、Ａｌｉａｓ社製のＭａｙａ、イーフロンティア社製の３ＤＳ−マックスシェード、株式会社終作製の六角大王など）や、サンプル画像作成ソフト１６ｂで作成されたラベルや包装材の立体印刷見本を表す３Ｄ画像やこの３Ｄ画像を背景画像に組み込んだイメージ画像を作成するイメージ画像作成ソフト１６ｃ（例えば株式会社シーキューブ製のオートキャドや、ソリッドワークスジャパン製のソリッドワークスなどが）や、サンプル画像作成ソフト１６ｂにより作成されたラベルや包装材を印刷するための印刷データを作成する印刷データ作成ソフト１６ｄなどが記憶されている。
【００１８】
また、データベース１７には、印刷対象物の複数種類の形状に対応した画像情報（例えば紙ラベル、ＰＥＴボトル、缶製品、瓶ラベルなどの外観を示す画像情報）からなる製品形態情報１７ａや、複数種類の用紙に対応した画像情報（例えば普通紙、マット紙、フィルムなどの画像情報）からなる用紙情報１７ｂや、複数種類の表現加工を表す画像情報（例えば箔押し（ホットスタンプ）、エンボス、デポスなどの表現加工を表す画像情報）からなる表現加工情報１７ｃなどが登録されている。
【００１９】
以下に本実施形態の印刷見本作製システムによりラベルや包装材の立体印刷見本を作製する手順を図３〜図６に基づいて説明する。尚、以下ではラベルを瓶に貼り付けた状態の立体印刷見本を作製する場合を例に説明を行うが、包装材の立体印刷見本を作製する場合も同様の処理を行うので、その説明は省略する。
【００２０】
ラベルの発注を検討している顧客が端末装置３を用いて、印刷会社側のコンピュータサーバ１により運営されているホームページにアクセスし、立体印刷見本を注文するためのウェブページの表示を要求すると、個々の顧客毎に個別のＩＤおよびパスワードが割り当てられる。以後、顧客側の端末装置３から、各顧客に割り当てられたＩＤおよびパスワードを用いて認証を行い、認証に成功すると、見本注文用のウェブページに移行するようになっており、顧客側の端末装置３と印刷会社側のコンピュータサーバ１との間で暗号化された通信を行うことで、端末装置３とコンピュータサーバ１との間の通信が他者から読み取られないようにしている。
【００２１】
コンピュータサーバ１の制御手段１１は、通信手段１４を介して端末装置３から送信された見本注文用ページの表示要求を受け取ると、データベース１７から製品形態情報Ｄ１、用紙情報Ｄ２、表現加工情報Ｄ３を読み出して見本注文用のウェブページを作成し、通信手段１４から要求元の端末装置３へ送信しており、端末装置３のモニタに見本注文用のウェブページが表示される。ここに、制御手段１１と通信手段１４とで、印刷加工テンプレートに登録された各種情報を提示する情報提示手段が構成される（図３のステップＳ１）
図４は顧客側の端末装置３のモニタ画面に表示される見本注文用ページの一例であり、画面の上半分には左側から製品形態情報Ｄ１、用紙情報Ｄ２、表現加工情報Ｄ３の順番で複数の選択肢が表示されている。そして、製品形態情報Ｄ１、用紙情報Ｄ２、表現加工情報Ｄ３の順番に所望の条件を選択して決定釦（図示せず）を選択すると、ラベル注文用ページで選択された各種の条件がコンピュータサーバ１に送られ、コンピュータサーバ１のサンプル画像作成ソフト１６ｂ（サンプル画像作成手段）が、端末装置３から送信された選択条件に応じて、データベース１７に登録された各種の情報をもとにサンプル画像を作成し（図３のステップＳ２）、サンプル画像送信手段たる通信手段１４から作成したサンプル画像を端末装置３に返送する。
【００２２】
なお図４の例では製品形態情報Ｄ１として紙ラベル、ＰＥＴボトル、缶製品、瓶ラベル、パッケージ、軟包装材、その他の選択肢が用意されており、キーボードあるいはマウスなどの入力手段を用いて何れかの項目にチェックを入れる（ＳＴＥＰ１）。また用紙情報Ｄ２としては普通紙、マット紙、サテン紙、グロス紙、ハイグロス紙、ホイル紙、フィルム、その他の選択肢が用意されており、キーボードあるいはマウスなどの入力手段を用いて何れかの項目にチェックを入れる（ＳＴＥＰ２）。さらに表現加工情報Ｄ３としては、ホットスタンプ（箔押）、エンボス・デポス、ＵＶコーティング、ラミネート加工、特色表現、その他の選択肢が用意されており、キーボードあるいはマウスなどの入力手段を用いて１乃至複数の項目をチェック（選択）する（ＳＴＥＰ３）。ここで、特色表現の項目にチェックを入れた場合は、この項目の右下にある下矢印キーＫ１を選択すると、表示色を選択するためのプルダウンメニューが現れ、このプルダウンメニューから所望の色を選択できるようになっている。また各項目の選択操作を行う際に「その他」を選択した場合は、「その他」の項目の下側にある入力ボックスＢ１〜Ｂ３にキーボードなどの入力手段を用いて製品形態情報を直接入力できるようになっている。
【００２３】
そして、製品形態情報Ｄ１、用紙情報Ｄ２および表現加工情報Ｄ３の各項目を選択した後、図示しない決定釦を選択すると、端末装置３からコンピュータサーバ１へ選択内容が送信され、コンピュータサーバ１の制御手段１１がサンプル画像作成ソフト１６ｂを実行し、通信手段１４を介して入力された選択内容に対応する画像データをデータベース１７から抽出し、抽出した画像データを組み合わせることで、選択内容に応じたサンプル画像を作成し、作成したサンプル画像の画像データを通信手段１４（サンプル画像送信手段）から端末装置３側へ送信させる。端末装置３では、コンピュータサーバ１からサンプル画像の画像データを受信すると、受信したサンプル画像の画像データＧ１と選択内容とが見本注文用ページのウィンドウＷ１，Ｗ２にそれぞれ表示される（図４参照）。なお図４に示す例では、製品形態情報Ｄ１として瓶ラベル、用紙情報Ｄ２としてグロス紙、表現加工情報Ｄ３としてホットスタンプ（箔押）とラミネート加工と特色表現がそれぞれ選択されており、コンピュータサーバ１では、データベース１７から瓶ラベルに対応する画像情報と、グロス紙に対応する画像情報と、ホットスタンプ（箔押）、ラミネート加工および特色表現に対応する画像情報を読み出し、これらの画像情報を組み合わせることで、印刷会社側で用意した架空の製品ラベルを顧客側で選択した条件で表現したサンプル画像Ｇ１が作成される。
【００２４】
ここで、上記の条件を修正或いは変更したサンプル画像を見たい場合、見本注文用ページが表示されている状態でマウス或いはキーボードなどの入力手段を用いて各条件を変更した後、再度決定釦を操作すると、端末装置３からコンピュータサーバ１へ選択内容が送信され、上述と同様の処理を経てコンピュータサーバ１で作成されたサンプル画像の画像データが端末装置３側に送信され、見本注文用ページのウィンドウＷ１内に表示される。
【００２５】
而して、顧客は端末装置３のモニタ画面に表示されたサンプル画像を見ながら、ラベル用紙や表現加工方法の選択を変更することで、多様な形態のサンプル画像を表示させることができ、所望のサンプル画像が表示されると、マウスあるいはキーボードを用いてラベルや包装材につける商品情報（例えば商品名など）を入力した後、画面上に表示されたイメージ画像作成要求釦（図示せず）を操作する。このとき、端末装置３からは、イメージ画像作成要求とともに、最終の選択内容や商品情報がコンピュータサーバ１へ送信される。また顧客側で、ラベルや包装材の図面データＧ２（図５（ａ）参照）などを用意している場合は、端末装置３側で図面データを入力すると、この図面データがイメージ画像作成要求とともにコンピュータサーバ１へ送信される。なお、図５（ａ）（ｂ）では顧客側から送信された図面データＧ２やこの図面データＧ２をもとに作成した見本画像Ｇ３〜Ｇ１０について、印刷会社側で予め用意しておいたサンプル画像Ｇ１と同じデザインのもので説明しているが、実際には顧客側から送られた商品情報や図面データをもとに作成した画像となる。
【００２６】
コンピュータサーバ１では、通信手段１４が端末装置３から送信されたイメージ画像作成要求を受け取ると、制御手段１１が通信手段１４を介して入力された各種情報の選択内容と、商品情報あるいはその図面データとをもとに、イメージ画像作成ソフト１６ｃを実行することで、立体印刷見本の平面画像（見本画像）を複数種類作成し（図３のステップＳ３）、作成した画像データを通信手段１４から端末装置３側へ送信させる。一方、端末装置３では、コンピュータサーバ１から立体印刷見本の平面画像の画像データを受信すると、受信した見本画像の画像データＧ３〜Ｇ１０をモニタ画面Ｗ３に表示させる（図５（ｂ）参照）。ここで、コンピュータサーバ１では、顧客側の端末装置３から送信された選択内容に基づいて作成したサンプル画像の他に、特色カラー表現を変更したサンプル画像や、各々の特色カラー表現のサンプル画像に箔押加工を付加したサンプル画像を含めて複数種類の見本画像Ｇ３〜Ｇ１０を作成し、作成した見本画像の画像データを通信手段１４から端末装置３側に送信しており、表現加工方法などを変えた複数種類の見本画像Ｇ３〜Ｇ１０を顧客側に提案することで、顧客側に様々な形態のものを検討してもらうことができる。
【００２７】
そして、端末装置３のモニタ画面Ｗ３に表示された見本画像Ｇ３〜Ｇ１０の中からキーボードやマウスなどの入力手段を用いて所望の画像を選択すると、選択内容がコンピュータサーバ１に送信され、制御手段１１がイメージ画像作成ソフト１６ｃを実行することにより、ラベルを瓶に貼り付けた状態の立体印刷見本の３Ｄ画像やこの３Ｄ画像を背景画像に組み込んだイメージ画像が作成される（ステップＳ４）。例えば図６（ａ）はラベルが貼り付けられるガラス瓶２０、金属缶２１、ペットボトル２２、チューブ２３などの容器を示しており、これらの容器２０〜２３にラベル３０〜３３を付けた状態の３Ｄ画像を作成するとともに、この３Ｄ画像を例えば商品の陳列棚などの背景画像に組み込んだイメージ画像を作成した後、イメージ画像送信手段たる通信手段１４から端末装置３へ立体印刷見本の３Ｄ画像やイメージ画像を送信する（図３のステップＳ５）。
【００２８】
而して、顧客は端末装置３のモニタ画面に表示された立体印刷見本の３Ｄ画像やイメージ画像を見ながら、ラベルや包装材の出来映えを確認でき、ラベルや包装材のデザインを修正あるいは変更したい場合は、図示しない戻り釦を選択して、図４に示す選択画面に戻り、上述と同様の処理を行うことで、再度条件を変えて見本画像や立体印刷見本の３Ｄ画像およびイメージ画像を作成させることができる（図３のステップＳ６）。
【００２９】
一方、顧客が端末装置３のモニタ画面に表示された立体印刷見本の３Ｄ画像やイメージ画像でラベルや包装材の出来映えに満足した場合は、マウスあるいはキーボードを用いて画面上に表示されたモックアップ作製要求釦（図示せず）を操作する。このとき、端末装置３からはモックアップ作製要求がコンピュータサーバ１へ送信され、コンピュータサーバ１の通信手段１４がモックアップ作製要求を受信すると、制御手段１１が、ラベルや包装材の見本画像或いは３Ｄ画像をもとにデータ出力部１５に印刷用データを作製させ、この印刷用データをプリンタ２に出力して、ラベル或いは包装材を印刷させており、印刷されたラベルを容器に貼り付けて作製した立体見本（モックアップ）や印刷された包装材の立体見本を顧客側に納品する。
【００３０】
なお図６（ｂ）に示すイメージ画像はラベルを容器に付けただけの画像であるが、イメージ画像作成ソフト１６ｃでは、ラベルを付けた容器や包装材を売り場（スーパーマーケットやコンビニエンスストアなど）の陳列棚に陳列した状態のイメージ画像を作成することもでき、陳列棚に陳列した状態で様々な角度から商品を表示させて、ラベルや包装材の見栄えを確認できる。またイメージ画像作成ソフト１６ｃでは、ラベルや包装材に対して様々な方向から光が当たっている状態をシミュレーションすることができ、光の当たり方によってラベルや包装材の見栄えがどのように変化するかを事前に確認することもできる。
【００３１】
このように、本実施形態の印刷見本作製システムでは、データベース１７に登録された印刷加工テンプレート（例えば製品形態情報Ｄ１、用紙情報Ｄ２、表現加工情報Ｄ３など）を選択することによって様々な仕上がりのサンプル画像を作成するとともに、顧客側の端末装置３に表示させることで、顧客が印刷対象物の仕上がり状態を事前に予想して、比較、検討することができる。さらに、サンプル画像を検討した結果に基づいて立体印刷見本の３Ｄ画像やこの３Ｄ画像を背景画像に組み込んだイメージ画像を作成して端末装置３のモニタ画面に表示させることができるから、現実の立体印刷見本を作製する前に、端末装置３のモニタ画面上で立体印刷画像を表示させて確認することができるから、立体印刷見本を作製して顧客に送る時間や顧客側でデザインを検討する時間を短縮したり、立体印刷見本を作製するコストを低減できる。また、現実の立体印刷見本を製作しなくても、顧客に対して素材や表面加工方法などを変えた多様な立体印刷見本を端末装置３の画面上で提案することができ、顧客の満足度を向上させることができる。また、コンピュータサーバ１がサンプル画像や立体印刷見本の３Ｄ画像およびイメージ画像を作製する過程で、顧客側の端末装置３から送信された修正依頼を受けてサンプル画像やイメージ画像を修正するとともに、修正後のサンプル画像や立体印刷見本の３Ｄ画像およびイメージ画像を顧客側の端末装置３に送信しているので、現実の立体印刷見本を作製する前に様々な形態の立体印刷見本を端末装置３の画面上で確認することができる。
【００３２】
ところで、上述の実施形態では印刷会社側のコンピュータサーバ１に、印刷加工テンプレートを記憶したデータベース１７を用意しておき、顧客側の端末装置３からインターネットＮＴを介してコンピュータサーバ１にアクセスし、印刷加工テンプレートに登録された製品形態情報、用紙情報および表現加工情報を選択することで、様々な仕上がりのサンプル画像を端末装置３側に表示させるようにしているが、印刷会社側で、製品形態情報、用紙情報および表現加工情報の選択内容に応じた複数種類のサンプル画像をＣＤ−ＲＯＭなどの記録媒体に予め記憶させたものを作製し、この記録媒体を顧客に配布し、顧客側の端末装置３で汎用のビューアソフトを実行し、製品形態情報、用紙情報および表現加工情報の選択結果に応じたサンプル画像を表示させることで、所望の条件のサンプル画像を決定するようにしても良い。
【００３３】
この場合、顧客が端末装置３を操作してサンプル画像を決定した後、端末装置３からインターネットＮＴを介して印刷会社側のコンピュータサーバ１により運営されているホームページにアクセスし、立体印刷見本を注文するためのウェブページの表示を要求すると、個々の顧客毎に個別のＩＤおよびパスワードが割り当てられ、見本注文用のウェブページに移行する。端末装置３のモニタに見本注文用のウェブページが表示されると、マウスやキーボードなどの入力装置を用いて、選択したサンプル画像の情報と、ラベルや包装材につける商品情報（例えば商品名など）、あるいは、ラベルや包装材の図面データを入力した後、画面上に表示されたイメージ画像作成要求釦（図示せず）を操作する。このとき、端末装置３からは、イメージ画像作成要求とともに、サンプル画像の選択情報や商品情報がコンピュータサーバ１へ送信され、コンピュータサーバ１においてイメージ画像作成ソフト１６ｃを実行することにより、立体印刷見本の平面画像（見本画像）が作成される（図３のステップＳ３）。以後はコンピュータサーバ１および端末装置３において上述の実施形態と同様の処理が行われ（図３のステップＳ３〜Ｓ６の処理）、最終的にモックアップダミーの作製が行われるのである。
【図面の簡単な説明】
【００３４】
【図１】本実施形態の概略的なシステム構成図である。
【図２】同上に用いるコンピュータサーバの概略ブロック図である。
【図３】同上のラベル作成過程を示すフロー図である。
【図４】同上の印刷加工テンプレートの選択画面を示す図である。
【図５】（ａ）（ｂ）は同上の動作を説明する説明図である。
【図６】（ａ）（ｂ）は同上の動作を説明する説明図である。
【符号の説明】
【００３５】
１  コンピュータサーバ
２  プリンタ
３  端末装置
ＮＴ  インターネット
【図１】
2008287390.tif 000003
【図２】
2008287390.tif 000004
【図３】
2008287390.tif 000005
【図４】
2008287390.tif 000006
【図５】
2008287390.tif 000007
【図６】
2008287390.tif 000008